(57)【要約】  本発明は、タッチスクリーン装置のタッチセンサ制御器でタッチイベントに対するタッチ信号を効率的に処理することで、全体システムの電力消耗を低減することができる装置及び方法に関する。本発明では、タッチスクリーンを含む装置において、タッチイベントに対するタッチ信号を生成して処理するタッチセンサ制御器と、前記タッチセンサ制御器から前記タッチ信号を受信して前記タッチ信号に対応する動作を行うシステム制御器と、を含み、前記タッチセンサ制御器は前記タッチイベントがマルチタッチであるか否かを判断し、マルチタッチであるか否かにより前記タッチ信号を異なる形態に生成して前記システム制御器に伝送することを特徴とするタッチ信号処理装置が提示される。本発明によれば、タッチスクリーンを含む装置の電力消耗を効率的に減少させることができる利点がある。
2014501990.tif 000002
【特許請求の範囲】
【請求項１】
タッチスクリーンを含む装置において、
タッチイベントに対するタッチ信号を生成して処理するタッチセンサ制御器と、
前記タッチセンサ制御器から前記タッチ信号を受信して前記タッチ信号に対応する動作を行うシステム制御器と、を含み、
前記タッチセンサ制御器は、前記タッチイベントがマルチタッチであるか否かを判断し、マルチタッチであるか否かにより前記タッチ信号を異なる形態に生成して前記システム制御器に伝送することを特徴とする、タッチ信号処理装置。
【請求項２】
前記タッチ信号は、
前記タッチイベントがマルチタッチの場合にはタッチ原始データ形態であり、前記タッチイベントがシングルタッチの場合には座標データ形態であることを特徴とする、請求項１に記載のタッチ信号処理装置。
【請求項３】
前記タッチセンサ制御器は、前記タッチイベントの発生時にシステム制御器の状態判断情報を検索して前記システム制御器の状態を判断し、
前記システム制御器がスリープ解除状態であることを特徴とする、請求項２に記載のタッチ信号処理装置。
【請求項４】
前記システム制御器がスリープ状態の場合には、
前記タッチセンサ制御器はディスプレイ部がスリープ解除画面を表示中であるか否かを判断し、ディスプレイ部がスリープ解除画面を表示中の場合には前記タッチイベントが前記システム制御器のスリープ状態を解除するために設定された条件を満足するか否かを判断した後、前記システム制御器のスリープ状態を解除するためのスリープ解除信号を生成して前記システム制御器に伝送することを特徴とする、請求項３に記載のタッチ信号処理装置。
【請求項５】
前記設定された条件は、
前記タッチイベントがシングルタッチであることを特徴とする、請求項４に記載のタッチ信号処理装置。
【請求項６】
前記設定された条件は、
前記タッチイベントのジェスチャまたはパターンが設定されているジェスチャまたはパターンにマッチすることを特徴とする、請求項５に記載のタッチ信号処理装置。
【請求項７】
前記タッチセンサ制御器は、ディスプレイ部がスリープ解除画面を表示中でない場合にはディスプレイ部がスリープ解除画面を表示するように制御することを特徴とする、請求項４に記載のタッチ信号処理装置。
【請求項８】
前記ディスプレイ部は、スリープ解除画面のためのフレーム情報を保存するメモリを含み、前記タッチセンサ制御器からの制御信号によりスリープ解除画面を表示することを特徴とする、請求項７に記載のタッチ信号処理装置。
【請求項９】
前記タッチセンサ制御器は、
スリープ解除画面が表示中の状態で所定時間の間にタッチイベントが発生しない場合は、前記ディスプレイ部がスリープ解除画面の表示を中断するように制御することを特徴とする、請求項８に記載のタッチ信号処理装置。
【請求項１０】
前記タッチセンサ制御器は、前記スリープ解除信号を伝送する際にディスプレイ部がスリープ解除画面の表示を中断するように制御し、
前記システム制御器は、
前記スリープ解除信号を受信するとウェークアップ(wake-up)され、ロックされないユーザインターフェースを表示するようにディスプレイ部を制御することを特徴とする、請求項４に記載のタッチ信号処理装置。
【請求項１１】
前記システム制御器は、前記ユーザインターフェースを介して所定時間の間にタッチイベントが発生しない場合には前記タッチセンサ制御器にスリープ状態開始通知信号を伝送し、スリープ状態に入ることを特徴とする、請求項１０に記載のタッチ信号処理装置。
【請求項１２】
前記タッチセンサ制御器は、
前記スリープ状態開始通知信号を受信した場合、前記ディスプレイ部が前記スリープ解除画面を表示するように制御することを特徴とする、請求項１１に記載のタッチ信号処理装置。
【請求項１３】
タッチスクリーンを含む装置において、
タッチイベントが発生すると、システム制御器の状態を判断する第１判断過程と、タッチイベントの形態を判断する第２判断過程を実行し、前記第１判断過程及び前記第２判断過程の結果によりそれぞれ異なるタッチ信号を生成してシステム制御器に伝送するタッチセンサ制御器と、
前記タッチ信号を受信して前記タッチ信号に対応する動作を行うシステム制御器と、を含むことを特徴とする、タッチ信号処理装置。
【請求項１４】
前記第１判断過程の結果、前記システム制御器がスリープ解除状態であって、第２判断過程の結果、前記タッチイベントがシングルタッチの場合には、前記タッチ信号はタッチイベントに対する座標データ形態であり、
前記第１判断過程の結果、前記システム制御器がスリープ解除状態であって、第２判断の結果、前記タッチイベントがマルチタッチの場合には、前記タッチ信号はタッチイベントに対するタッチ原始データ形態であることを特徴とする、請求項１３に記載のタッチ信号処理装置。
【請求項１５】
前記第１判断過程の結果、前記システム制御器がスリープ状態の場合には、
前記タッチセンサ制御器は前記システム制御器をスリープ解除するための第３判断過程を実行し、第３判断過程の結果により生成される前記タッチ信号は前記システム制御器をスリープ解除するためのスリープ解除信号であることを特徴とする、請求項１３に記載のタッチ信号処理装置。
【請求項１６】
タッチスクリーン用タッチセンサシートを制御し、システム制御器と接続されるタッチセンサ制御器でタッチイベントに対するタッチ信号を処理する方法において、
タッチイベントが入力される段階と、
前記タッチイベント発生時に前記システム制御器のスリープ状態可否を判断する段階と、
前記システム制御器がスリープ状態の場合には、ディスプレイ部がスリープ解除画面を表示中であるか否かを判断する段階と、
スリープ解除画面が表示中の場合には前記タッチイベントがシングルタッチであるか否かを判断する段階と、
前記タッチイベントがシングルタッチの場合には前記タッチイベントが設定されたジェスチャまたはパターンにマッチしているか否かを判断する段階と、
前記タッチイベントが設定されたジェスチャまたはパターンにマッチする場合には前記システム制御器をスリープ状態から解除するためのスリープ解除信号を前記システム制御器に伝送する段階と、を含むことを特徴とする、タッチ信号を処理する方法。
【請求項１７】
前記ディスプレイ部がスリープ解除画面を表示しない場合にはディスプレイ部が前記スリープ解除画面を表示するように制御する段階と、
第２タッチイベントが入力される段階と、
前記第２タッチイベントがシングルタッチの場合には前記第２タッチイベントが設定されたジェスチャまたはパターンにマッチするか否かを判断する段階と、
前記第２タッチイベントが設定されたジェスチャまたはパターンにマッチする場合には前記システム制御器をスリープ状態から解除するためのスリープ解除信号を前記システム制御器に伝送する段階と、をさらに含むことを特徴とする、請求項１６に記載のタッチ信号を処理する方法。
【請求項１８】
前記スリープ解除信号を伝送する段階では、
前記タッチセンサ制御器で前記ディスプレイ部がスリープ解除画面の表示を中断するように制御することを特徴とする、請求項１７に記載のタッチ信号を処理する方法。
【請求項１９】
前記システム制御器がスリープ解除状態の場合には、前記タッチイベントがシングルタッチであるかマルチタッチであるかを判断する段階と、
前記タッチイベントがシングルタッチの場合には、タッチイベントに対する座標データを前記システム制御器に伝送し、前記タッチイベントがマルチタッチの場合には、タッチイベントに対するタッチ原始データを前記システム制御器に伝送する段階と、をさらに含むことを特徴とする、請求項１６に記載のタッチ信号を処理する方法。
【請求項２０】
前記システム制御器は、前記スリープ解除信号を受信すると、ウェークアップされ、ロックされないユーザインターフェースが前記ディスプレイ部に表示されるように前記ディスプレイ部を制御することを特徴とする、請求項１６に記載のタッチ信号を処理する方法。
【発明の詳細な説明】
【技術分野】
【０００１】
本発明はタッチスクリーンを構成するタッチセンサ制御器でタッチ信号を処理する方法及びその装置に関する。より詳しくは、タッチスクリーン装置のタッチセンサ制御器でタッチイベントに対するタッチ信号を効率的に処理することで、全体システムの電力消耗を低減することができる装置及び方法に関する。
【背景技術】
【０００２】
タッチスクリーン方式のスマートホン、タブレットＰＣ(Tablet PC)などの移動端末は、スクリーン上のタッチを感知するためのタッチセンサシート、ユーザインターフェースを表示するためのディスプレイ、タッチセンサシートからのタッチ感知信号を処理するためのタッチセンサ制御器、タッチセンサ制御器からタッチ信号を受信してそのタッチ信号に対応する動作を行うためのシステム制御器を含んで構成される。
【０００３】
従来には、上記タッチセンサ制御器で上記タッチセンサシートから出力されたタッチ感知信号によりデジタル信号形態のタッチ原始データ(raw data)を生成した後、生成されたタッチ原始データに対する座標処理を行い、それによる動作実行信号をシステム制御器に伝送するか、ウェークアップタッチイベントを処理した後にそれによる動作実行信号をシステム制御器に伝送した。
【０００４】
したがって、信号処理を実行するためにタッチセンサ制御器に用いられるＭＰＵ(Micro Processor Unit)が別途必要であった。
【０００５】
ところが、システム制御器に使用されるＭＰＵは、１ＧＨｚ程度の高速動作が可能で、大容量のメモリを備えていて、相対的に低い動作性能と制限されたメモリを有するタッチセンサ制御器用ＭＰＵの代わりとしてタッチイベントに対する信号処理を実行することができるので、信号処理のために別途のタッチセンサ制御器用ＭＰＵを使用することは資源的な浪費が大きい。
【０００６】
それでもタッチイベントに対する原始データ生成を除外したすべての信号処理をシステム制御器に任せることは、電力消耗率がタッチセンサ制御器より高いシステム制御器の使用による電力消耗の側面から浪費的な側面がある。
【０００７】
また、従来では、ディスプレイがスリープ(sleep)状態にあって、ユーザインターフェースがロック状態から、システムをウェークアップ(wake up)させるために特定機械式ボタンを押せば、ユーザインターフェース解除画面が表示され、ユーザインターフェース解除画面上から特定ジェスチャ（タッチスクリーン上に指などを特定領域に接触させた状態から特定方向に移動すること）を行ってユーザインターフェースのロック解除を実行した。
【０００８】
この場合、ディスプレイ及びシステム制御器をすべてオン(on)にした状態で、ユーザインターフェースのロック解除動作を行うので、電力消耗的側面から浪費となる問題点があった。
【発明の概要】
【発明が解決しようとする課題】
【０００９】
本発明は上記の問題点を解決するために案出されたものであって、本発明は、タッチイベントに対する一部の信号処理に対しては電力消耗がシステム制御器より低いタッチセンサ制御器で処理することで、全体システムの電力消耗を低減する装置及び方法を提供することを目的とする。
【００１０】
また、システム制御器がスリープ状態でタッチセンサシートに対する特定タッチイベントだけでシステム制御器をウェークアップさせるとともに、ロック解除されたユーザインターフェースも表示させる装置及び方法を提供することを目的とする。
【課題を解決するための手段】
【００１１】
上記の目的を達成するための技術的思想として、本発明では、
【００１２】
一態様として、タッチスクリーンを含む装置において、タッチイベントに対するタッチ信号を生成して処理するタッチセンサ制御器と、上記タッチセンサ制御器から上記タッチ信号を受信して上記タッチ信号に対応する動作を行うシステム制御器と、を含み、上記タッチセンサ制御器は上記タッチイベントがマルチタッチであるか否かを判断し、マルチタッチであるか否かにより上記タッチ信号を異なる形態に生成して上記システム制御器に伝送することを特徴とするタッチ信号処理装置が提示される。
【００１３】
一方、上記タッチ信号は、上記タッチイベントがマルチタッチの場合にはタッチ原始データ形態であり、上記タッチイベントがシングルタッチの場合には座標データ形態であることを特徴とする。
【００１４】
一方、上記タッチセンサ制御器は、上記タッチイベントの発生時にシステム制御器状態の判断情報を検索して上記システム制御器の状態を判断し、上記システム制御器がスリープ解除状態であることを特徴とする。
【００１５】
一方、上記システム制御器がスリープ状態の場合には、上記タッチセンサ制御器はディスプレイ部がスリープ解除画面を表示中であるか否かを判断し、ディスプレイ部がスリープ解除画面を表示中の場合には上記タッチイベントが上記システム制御器のスリープ状態を解除するために設定された条件を満足するか否かを判断した後、上記システム制御器のスリープ状態を解除するためのスリープ解除信号を生成して上記システム制御器に伝送することを特徴とする。
【００１６】
一方、上記設定された条件は、上記タッチイベントがシングルタッチであることを特徴とする。
【００１７】
一方、上記設定された条件は、上記タッチイベントのジェスチャまたはパターンが設定されているジェスチャまたはパターンにマッチすることを特徴とする。
【００１８】
一方、上記タッチセンサ制御器は、ディスプレイ部がスリープ解除画面を表示中ではない場合にはディスプレイ部がスリープ解除画面を表示するように制御することを特徴とする。
【００１９】
一方、上記ディスプレイ部はスリープ解除画面のためのフレーム情報を保存するメモリを含み、上記タッチセンサ制御器からの制御信号によりスリープ解除画面を表示することを特徴とする。
【００２０】
一方、上記タッチセンサ制御器は、スリープ解除画面が表示中の状態で所定時間の間にタッチイベントが発生しない場合は、上記ディスプレイ部がスリープ解除画面の表示を中断するように制御することを特徴とする。
【００２１】
一方、上記タッチセンサ制御器は上記スリープ解除信号を伝送する際にディスプレイ部がスリープ解除画面の表示を中断するように制御し、上記システム制御器は上記スリープ解除信号が受信されたら、ウェークアップ(wake-up)されて、ロックされないユーザインターフェースを表示するようにディスプレイ部を制御することを特徴とする。
【００２２】
一方、上記システム制御器は、上記ユーザインターフェースを介して所定時間の間にタッチイベントが発生しない場合には上記タッチセンサ制御器にスリープ状態開始通知信号を伝送し、スリープ状態に入ることを特徴とする。
【００２３】
一方、上記タッチセンサ制御器は、上記スリープ状態開始通知信号を受信した場合、上記ディスプレイ部が上記スリープ解除画面を表示するように制御することを特徴とする。
【００２４】
また、他の態様として、タッチスクリーンを含む装置において、タッチイベントが発生すると、システム制御器の状態を判断する第１判断過程と、タッチイベントの形態を判断する第２判断過程を実行し、上記第１判断過程及び上記第２判断過程の結果によりそれぞれ異なるタッチ信号を生成してシステム制御器に伝送するタッチセンサ制御器と、上記タッチ信号を受信して上記タッチ信号に対応する動作を行うシステム制御器と、を含むタッチ信号処理装置が提示される。
【００２５】
一方、上記第１判断過程の結果、上記システム制御器がスリープ解除状態であって、第２判断過程の結果、上記タッチイベントがシングルタッチの場合には、上記タッチ信号はタッチイベントに対する座標データ形態であり、上記第１判断過程の結果、上記システム制御器がスリープ解除状態であって、第２判断の結果、上記タッチイベントがマルチタッチの場合には、上記タッチ信号はタッチイベントに対するタッチ原始データ形態であることを特徴とする。
【００２６】
一方、上記第１判断過程の結果、上記システム制御器がスリープ状態の場合には、上記タッチセンサ制御器は上記システム制御器をスリープ解除させるための第３判断過程を実行し、第３判断過程の結果により生成される上記タッチ信号は上記システム制御器をスリープ解除させるためのスリープ解除信号であることを特徴とする。
【００２７】
また、さらに他の態様として、タッチスクリーン用タッチセンサシートを制御し、システム制御器と接続されるタッチセンサ制御器でタッチイベントに対するタッチ信号を処理する方法において、タッチイベントが入力される段階と、上記タッチイベント発生時に上記システム制御器のスリープ状態可否を判断する段階と、上記システム制御器がスリープ状態の場合には、ディスプレイ部がスリープ解除画面を表示中であるか否かを判断する段階と、スリープ解除画面が表示中の場合には上記タッチイベントがシングルタッチであるか否かを判断する段階と、上記タッチイベントがシングルタッチの場合には上記タッチイベントが設定されたジェスチャまたはパターンにマッチしているか否かを判断する段階と、上記タッチイベントが設定されたジェスチャまたはパターンにマッチした場合には上記システム制御器をスリープ状態から解除するためのスリープ解除信号を上記システム制御器に伝送する段階と、を含むタッチ信号を処理する方法が提示される。
【００２８】
一方、上記ディスプレイ部がスリープ解除画面を表示しない場合には、ディスプレイ部が上記スリープ解除画面を表示するように制御する段階と、第２タッチイベントが入力される段階と、上記第２タッチイベントがシングルタッチの場合には、上記第２タッチイベントが設定されたジェスチャまたはパターンにマッチしているか否かを判断する段階と、上記第２タッチイベントが設定されたジェスチャまたはパターンにマッチした場合には、上記システム制御器をスリープ状態から解除するためのスリープ解除信号を上記システム制御器に伝送する段階と、をさらに含む。
【００２９】
一方、上記スリープ解除信号を伝送する段階では、上記タッチセンサ制御器で上記ディスプレイ部がスリープ解除画面の表示を中断するように制御することを特徴とする。
【００３０】
一方、上記システム制御器がスリープ解除状態の場合には、上記タッチイベントがシングルタッチであるかマルチタッチであるかを判断する段階と、上記タッチイベントがシングルタッチの場合には、タッチイベントに対する座標データを上記システム制御器に伝送し、上記タッチイベントがマルチタッチの場合には、タッチイベントに対するタッチ原始データを上記システム制御器に伝送する段階と、をさらに含む。
【００３１】
一方、上記システム制御器は、上記スリープ解除信号を受信すると、ウェークアップされ、ロックされないユーザインターフェースが上記ディスプレイ部に表示されるように上記ディスプレイ部を制御することを特徴とする。
【発明の効果】
【００３２】
本発明によれば、タッチイベントに対する一部の信号処理に対しては、電力消耗がシステム制御器よりも低いタッチセンサ制御器で処理することで、全体システムの電力消耗を低減することができる。
【００３３】
また、システム制御器のスリープ状態でタッチセンサシートに対する特定タッチイベントだけによりシステム制御器をウェークアップさせるとともに、ロック解除されたユーザインターフェースも表示することで、電力消耗を低減することができる。
【図面の簡単な説明】
【００３４】
【図１】本発明の実施形態によるタッチスクリーン上のタッチイベントに対するタッチ信号を処理するための装置のブロック構成図である。
【図２】本発明の実施形態によるタッチセンサ制御器のブロック構成図である。
【図３】本発明の実施形態によるタッチセンサ制御器でのタッチ信号処理方法を説明するフローチャートである。
【図４】本発明の実施形態によるシステム制御器の動作状態図である。
【発明を実施するための形態】
【００３５】
以下に添付図面を参照しながら、本発明の好適な実施の形態に対する構成及び作用を詳細に説明する。
【００３６】
図１は、本発明の実施形態によるタッチスクリーン上のタッチイベントに対するタッチ信号を処理するための装置のブロック構成図である。
【００３７】
タッチセンサシート１０は、タッチセンサ制御器２０からのタッチセンサ駆動信号に対する応答としてタッチスクリーン上におけるユーザの指などのタッチイベントを感知したタッチセンシング信号を上記タッチセンサ制御器に出力する。
【００３８】
タッチセンシング信号は静電容量性タッチセンサの場合にはセンサセル(cell)のキャパシタンス値を含み、圧力式タッチセンサの場合にはセンサセル(cell)の圧力値を含むことができる。
【００３９】
タッチセンサ制御器２０は、上記タッチセンサシート１０からのタッチセンシング信号をデジタル信号であるタッチ原始データ(touch raw data)に変換した後、上記タッチ原始データを利用して発生したタッチイベントがシングルタッチであるかマルチタッチであるかを区別し、上記タッチ原始データをそれぞれ異なるように信号処理した後にシステム制御器３０に伝送する。
【００４０】
また、システム制御器３０のスリープ(sleep)状態可否によりタッチイベントに対するタッチ信号処理を区分して進行する。例えば、システム制御器３０がスリープ状態の場合には、上記タッチセンサ制御器２０は特定タッチイベントが発生する場合にシステム制御器３０にウェークアップ(wake-up)信号を伝送する。
【００４１】
ここで、システム制御器３０がスリープ状態にあるというのは、節電のためにシステム制御器３０がウェークアップされる前には動作を休止する状態にあることを意味する。
【００４２】
そして、システム制御器３０がスリープ解除状態にあるというのは、システム制御器が駆動状態にあるとともに、タッチスクリーン上に表示されるユーザインターフェースがロックされない状態にあることを意味する。
【００４３】
また、タッチセンサ制御器２０は、上記システム制御器３０がスリープ状態にある場合にはディスプレイ部４０がスリープ解除画面を表示するようにするか、表示を中断するように制御する。例えば、上記システム制御器３０がスリープ状態に入るか、システム制御器３０がスリープ状態でタッチイベントが発生し、スリープ解除画面が表示解除中の場合にはスリープ解除画面を表示するように制御し、スリープ解除画面が表示された状態で所定時間（例えば、５秒）の間にタッチイベントを認識することができないか、スリープ解除信号をシステム制御器に伝送する際にスリープ解除画面の表示を中断するように制御する。
【００４４】
システム制御器３０はタッチスクリーン装置の全体システムを制御することで、保存部（図示せず）に保存されている各種プログラムを実行し、上記タッチセンサ制御器２０からウェークアップ信号を受信して動作を開始し、保存部（図示せず）に保存されているユーザインターフェースプログラムを実行して上記ディスプレイ部４０にロックされないユーザインターフェースを表示するように制御する。
【００４５】
ディスプレイ部４０は、ＬＣＤ(Liquid Crystal Display)で構成することができ、上記システム制御器３０の制御によりロックされないユーザインターフェースを表示する。一方、備えられたフレームメモリにスリープ解除画面フレーム情報を保存し、上記タッチセンサ制御器２０の制御によりスリープ解除画面を表示するか表示解除する。
【００４６】
図２は、本発明の実施形態によるタッチセンサ制御器のブロック構成図である。
【００４７】
原始データ発生部２１０はタッチセンサシート（図１の１０）に供給したタッチセンサ駆動信号に対する応答であるタッチセンシング信号を受信してタッチセンシング信号をデジタル信号であるタッチ原始データに変換し、タッチ原始データをタッチ検出部２２０に伝送する。
【００４８】
タッチ検出部２２０は上記タッチ原始データを利用してタッチイベントが発生したことを検出し、タッチイベントがマルチタッチであるか、シングルタッチであるかを区別する。
【００４９】
例えば、従来の場合のように、タッチセンサシートはマトリックス状に配置された複数個のタッチパッドを含み、複数個のタッチパッドのそれぞれが異なる形態を有するように構成して、複数個のタッチパッドのそれぞれが互いに異なる接触信号を発生することで、マルチタッチ可否及びタッチ個数を判断することができる。
【００５０】
また、上記タッチ検出部２２０は上記システム制御器（図１の３０）のスリープ状態可否を示すシステム制御器状態判断情報を保存したのち、タッチイベント発生時にシステム制御器のスリープ状態可否によって上記タッチ原始データを異なるように処理する。
【００５１】
例えば、システム制御器３０がスリープ解除状態の場合には、上記タッチ検出部２２０は、上記タッチイベントがマルチタッチであれば上記タッチ原始データ及びタッチ個数情報を、インターフェース２５０を介して上記システム制御器３０に伝送し、上記タッチイベントがシングルタッチであれば座標データ発生部２４０にタッチ原始データを伝送する。
【００５２】
次に、システム制御器３０がスリープ状態にある場合には、上記タッチ検出部２２０は、上記ディスプレイ部(図１の４０)がスリープ解除画面を表示しているか否かを判断する。例えば、タッチ検出部２２０はディスプレイ部にスリープ解除画面を表示するか、表示解除するように、インターフェース２５０を介して制御するとともにスリープ解除画面の表示状態可否を把握する。
【００５３】
続いて、スリープ解除画面が表示中の場合、上記タッチ検出部２２０は、タッチイベントがマルチタッチであればタッチ原始データを除外し、上記タッチイベントがシングルタッチであればタッチ原始データをスリープ解除信号発生部２３０に伝送し、スリープ解除画面が表示解除中の場合、上記タッチ検出部２２０はスリープ解除画面を表示するようにディスプレイ部を制御し、スリープ解除画面表示の後に発生したタッチイベントがマルチタッチであればタッチ原始データを除外し、シングルタッチであればタッチ原始データをスリープ解除信号発生部２３０に伝送する。ここで、上記スリープ解除画面はバックライトオン、またはバックライトオフされた、いずれかのパターンとすることは当然なことである。
【００５４】
上記システム制御器３０が所定時間（例えば、２０秒）内に上記タッチセンサ制御器（図１の２０）からタッチ原始データまたは座標データを受信することができない場合、または機械式ボタンなどの他の入力手段による入力信号を受信することができない場合に、上記システム制御器３０は上記タッチ検出部２２０にスリープ状態開始通知信号を伝送する。上記タッチ検出部２２０は上記スリープ状態開始通知信号に応答して上記システム制御器状態判断情報に上記システム制御器３０がスリープ状態であることを登録する。また、上記システム制御器３０が上記タッチセンサ制御器２０からスリープ解除信号を受信し、ウェークアップされた場合に、上記システム制御器３０は上記タッチ検出部２２０にスリープ状態解除通知信号を伝送する。上記タッチ検出部２２０は上記スリープ状態解除通知信号に応答して上記システム制御器状態判断情報に上記システム制御器３０がスリープ解除状態であることを登録する。
【００５５】
また、上記タッチ検出部２２０は上記スリープ状態開始通知信号を受信した場合、上記ディスプレイ部４０が上記スリープ解除画面を表示するように制御する。
【００５６】
また、上記タッチ検出部２２０はスリープ解除信号発生部２３０からスリープ解除信号伝送信号を受信し、上記スリープ解除信号伝送信号に応答して上記ディスプレイ部４０が上記スリープ解除画面の表示を中断するように制御する。
【００５７】
スリープ解除信号発生部２３０は上記タッチ原始データを分析してタッチイベントによるジェスチャまたはパターンが設定されて保存されているスリープ解除設定ジェスチャまたはパターンにマッチしているか否かを判断する。
【００５８】
このような判断過程は既存のジェスチャ区別アルゴリズム、パターン認識アルゴリズムなどを用いて実行することができる。
【００５９】
タッチイベントのジェスチャまたはパターンがスリープ解除設定ジェスチャまたはパターンにマッチする場合には、上記スリープ解除信号発生部２３０はスリープ解除信号を生成して上記インターフェース２５０を介して上記システム制御器３０にスリープ解除信号を伝送し、上記タッチ検出部２２０にスリープ解除信号伝送信号を伝送し、タッチイベントのジェスチャまたはパターンがスリープ解除設定ジェスチャまたはパターンにマッチしない場合には上記スリープ解除信号発生部２３０はタッチイベントを無視する。
【００６０】
スリープ解除信号発生部２３０は、備えられた保存装置に上記システム制御器３０から受信したスリープ解除設定ジェスチャまたはパターン情報を保存する。
【００６１】
このようなスリープ解除設定ジェスチャまたはパターンは、システム制御器が動作しているうちにユーザインターフェースを介して提供される入力窓を介してユーザが直接設定すること、ユーザインターフェースで提供すること、などのうち一つを選択して設定することができる。
【００６２】
座標データ発生部２４０は、上記システム制御器３０からタッチ地点に対する座標変換に必要な各種パラメータを受信して保存し、上記タッチ検出部２２０から受信したタッチ原始データを座標データに変換し、変換された座標データを、上記インターフェース２５０を介して上記システム制御器３０に伝送する。
【００６３】
インターフェース２５０は、上記システム制御器３０及び上記ディスプレイ部４０との各種信号及びデータの送受信を実行する。
【００６４】
図３は、本発明の実施形態によるタッチセンサ制御器でのタッチ信号処理方法を説明するフローチャートである。
【００６５】
まず、タッチセンサシートを介してタッチイベントが発生すると、タッチイベントによるタッチセンシング信号をデジタル信号であるタッチ原始データに変換する（Ｓ３０２）。
【００６６】
次に、タッチイベントが発生したことを検知し、保存されているシステム制御器状態判断情報を検索して上記システム制御器のスリープ状態可否を判断する（Ｓ３０４）。
【００６７】
次に、上記Ｓ３０４の判断の結果、上記システム制御器がスリープ状態にある場合には、上記ディスプレイ部にスリープ解除画面が表示中であるか否かを判断する（Ｓ３０６）。
【００６８】
次に、上記Ｓ３０６の判断の結果、スリープ解除画面が表示中の場合には、タッチイベントがシングルタッチであるかマルチタッチであるかを判断する（Ｓ３０８）。
【００６９】
次に、上記Ｓ３０８の判断の結果、タッチイベントがシングルタッチの場合には、上記タッチイベントのジェスチャまたはパターンが設定されているスリープ解除設定ジェスチャまたはパターンにマッチしているか否かを判断する（Ｓ３１０）。
【００７０】
次に、上記Ｓ３１０の判断の結果、タッチイベントのジェスチャまたはパターンがスリープ解除設定ジェスチャまたはパターンにマッチする場合には、スリープ解除信号を生成して上記システム制御器に伝送する（Ｓ３１２）。
【００７１】
スリープ解除信号を受信した上記システム制御器はウェークアップされ、ユーザインターフェースプログラムを実行してロックされないユーザインターフェースがディスプレイ部に表示されるようにディスプレイ部を制御する。
【００７２】
次に、上記Ｓ３０８の判断の結果、タッチイベントがシングルタッチではない場合、上記Ｓ３１０の判断の結果、タッチイベントが設定されたスリープ解除設定ジェスチャまたはパターンにマッチしない場合にはタッチイベントを無視する（Ｓ３１４）。
【００７３】
次に、上記Ｓ３０６の判断の結果、スリープ解除画面が表示解除中の場合には、システム制御器またはタッチセンサ制御器はディスプレイ部にてスリープ解除画面を表示するように制御する（Ｓ３１６）。
【００７４】
次に、第２タッチイベントが発生したことを認知し（Ｓ３１８）、第２タッチイベントに対してＳ３０８ないしＳ３１４段階を実行する。
【００７５】
次に、上記Ｓ３０４の判断の結果、上記システム制御器がスリープ解除状態の場合には、上記タッチイベントがマルチタッチであるかシングルタッチであるかを判断する（Ｓ３２０）。
【００７６】
次に、上記Ｓ３２０の判断の結果、上記タッチイベントがマルチタッチの場合には、上記タッチ原始データを上記システム制御器に伝送する（Ｓ３２２）。
【００７７】
タッチ原始データを受信したシステム制御器は受信したタッチ原始データを分析処理してタッチイベントに対応する動作を実行する。
【００７８】
次に、上記Ｓ３２０の判断の結果、上記タッチイベントがシングルタッチの場合には、上記タッチ原始データに対する座標データを生成した後（Ｓ３２４）、生成された座標データを上記システム制御器に伝送する（Ｓ３２６）。
【００７９】
座標データを受信したシステム制御器は座標データを分析処理してタッチイベントに対応する動作を実行する。
【００８０】
以上で説明したスリープ解除のためのタッチイベントはドラッグ(drag)形態によるジェスチャまたはパターンは勿論、スリープ解除画面上の特定番号または特定領域を入力するためのクリック(click)形態としても可能である。
【００８１】
図４は、本発明の実施形態によるシステム制御器の動作状態図である。
【００８２】
システム制御器がスリープモードにある場合には、ディスプレイ部はユーザインターフェース及びスリープ解除画面を表示しないスリープ状態にあるか、またはスリープ解除画面を表示している状態になり、タッチセンサシート及びタッチセンサ制御器を含んだタッチセンサモジュールは駆動状態となる。
【００８３】
スリープモードでスリープ解除タッチイベント（すなわち、シングルタッチながら特定のジェスチャまたはパターンの場合）が発生すると、システム制御器はウェークアップされてタッチモニタリングモードに進入し、ロックされないユーザインターフェースがディスプレイ部に表示される。このとき、タッチセンサ制御器にスリープ状態解除通知信号を伝送する。
【００８４】
タッチモニタリングモードで所定時間（例えば、２０秒）の間にタッチイベントが発生しない場合は、スリープモードに入る。このとき、タッチセンサ制御器にスリープ状態開始通知信号を伝送する。
【００８５】
タッチモニタリングモードでシングルタッチイベントが発生すると、シングルタッチモードで動作するが、このとき、タッチセンサ制御器からタッチイベントに対する座標データを受信して処理し、タッチイベントが終了するとタッチモニタリングモードに入る。
【００８６】
タッチモニタリングモードでマルチタッチイベントが発生すると、マルチタッチモードで動作するが、このとき、タッチセンサ制御器からタッチイベントに対するタッチ原始データを受信して処理し、タッチイベントが終了するとタッチモニタリングモードに入る。
【００８７】
上記では、本発明の好適な実施形態を参照しながら説明したが、該当の技術分野の熟練した当業者は下記の特許請求の範囲に記載した本発明の技術的思想及び領域から逸脱しない範囲内において本発明を多様に修正及び変更できることを理解することができる。
【産業上の利用可能性】
【００８８】
本発明は、タッチスクリーンを含む装置でのタッチイベントに対する信号処理方法及び装置に関し、タッチスクリーンを含む装置と関連産業に適用可能である。
【符号の説明】
【００８９】
１０  タッチセンサシート
２０  タッチセンサ制御器
３０  システム制御器
４０  ディスプレイ部
２１０  原始データ発生部
２２０  タッチ検出部
２３０  スリップ解除信号発生部
２４０  座標データ発生部
２５０  インターフェース
【図１】
2014501990.tif 000003
【図２】
2014501990.tif 000004
【図３】
2014501990.tif 000005
【図４】
2014501990.tif 000006
【国際調査報告】
2014501990.tif 000007
2014501990.tif 000008
2014501990.tif 000009
2014501990.tif 000010